(57)【要約】      （修正有）【課題】走行機のブームの先端に揺動自在に設けられるアームに係り、このアームが長手方向にスライドするとともにその先端に作業用のアタッチメントを着脱自在に取付けてなる走行機のスライドアームを提供する。【解決手段】走行機のブームとアームとを軸受け部で回転自在に連結するとともに前記ブームに固定されている油圧シリンダーにより前記軸受け部を中心に揺動される取付ブラケットを有する走行機１において、前記取付ブラケット２とアーム３との間に、そのアーム３の前後方向に沿って往復移動させる移動装置４を設けた走行機１とする。【選択図】図１
0003150154.tif 000002
【実用新案登録請求の範囲】
【請求項１】
走行機のブームとアームとを軸受け部で回転自在に連結するとともに前記ブームに固定されている油圧シリンダーにより前記軸受け部を中心に揺動される取付ブラケットを有する走行機において、
前記取付ブラケットとアームとの間に、そのアームの前後方向に沿って往復移動させる移動装置を設けたこと、
を特徴とする走行機。
【請求項２】
アームは、当該アームの本体部から子アームをスライドさせて伸縮させるスライドアームであること、
特徴とする請求項１に記載の走行機。
【考案の詳細な説明】
【技術分野】
【０００１】
本考案は、例えば、走行機のブームの先端に揺動自在に設けられるアームに係り、このアームが長手方向にスライドするとともにその先端に作業用のアタッチメントを着脱自在に取付けてなる走行機のスライドアームに関するものである。
【背景技術】
【０００２】
従来、走行機に取付けられているアームは、走行機の旋回体に揺動自在に取り付けられているブームに、揺動自在に取り付けられている。このアームは、特許文献１に記載の高所作業装置のように、複数本のマストを伸縮可能にしているものがある。このアームが伸長する様にして、作業範囲を拡大した走行機が図ａに示すものである。この作業走行機２０は、ブーム２１の先端部に、取付ブラケット２２を介してスライドアーム２３が揺動自在にして設けられている。シリンダー２４によって前記取付ブラケット２２が回転軸２５を中心にして回動するものである。前記スライドアーム２３の先端には開閉自在なアタッチメントの爪２６が設けられている。スライドアーム２３のスライド量Ｌ１は一例として２５００ｍｍ程度である。
【先行技術文献】
【特許文献】
【０００３】
【特許文献１】特開平０５−２６３５３４
【考案の概要】
【考案が解決しようとする課題】
【０００４】
しかし、従来の走行機のスライドアーム２３は、ブーム２１に対して揺動自在に取り付けられてはいるが、このアーム２３の長さには制限がある。即ち、図ｂに示すように、トラック等の運搬車に積み込むため、前記ブーム２１とスライドアーム２３とを折りたたむ必要があるからである。よって、作業範囲を拡大するために、前記スライドアーム２３を前記制限以上に長くすると、折りたたんで運搬車に積み込むことができない。そこで、当該スライドアーム２３を前記ブーム２１から分解して取り外し、運搬車に積み込むことになって手間が掛かるとともに、運搬車から降ろして直ぐに作業に取りかかれず作業性が悪いという課題がある。本考案に係る走行機のスライドアームは、このような課題を解決するために提案されたものである。
【課題を解決するための手段】
【０００５】
本考案に係る走行機におけるスライドアームの上記課題を解決して目的を達成するための要旨は、走行機のブームとアームとを軸受け部（回転軸）で回転自在に連結するとともに前記ブームに固定されている油圧シリンダーにより軸受け部を中心に揺動される取付ブラケットにおいて、前記スライドアームをそのアームのスライド方向に沿って往復移動させる移動装置を設けたことである。この移動装置は、例えば、ラックアンドピニオン機構でも良いし、油圧シリンダーでも良い。
前記移動装置により、アタッチメントの爪等を使用するときには、作業範囲を広げて作業できるように、前記移動装置を駆動させてスライドアームを前方に突出するように移動させる。そして、トラックなどの運搬車にこの走行機を積み込む時には、前記移動装置でスライドアームを後退させ、図２に示すように、ブームとスライドアームとを折りたたんで、運搬車に積み込むようにする。
【考案の効果】
【０００６】
本考案の走行機によれば、ブームに対してスライドアーム自体を移動させることで、作業中は作業範囲を拡大させることができて、運搬するには従来のようなスライドアーム解体作業が不要となり、折りたたんでそのまま走行機を運搬車に積み込むことができる。
よって、手間が掛からず作業効率が向上する。
【図面の簡単な説明】
【０００７】
【図１】本考案に係る走行機１の、スライドアーム３を伸長させた使用状態を示す説明図である。
【図２】同本考案の走行機１のスライドアーム３を折りたたんだ状態で、この状態にしてから運搬車に積み込むことを示す説明図である。
【図３】従来例に係る走行機２０の、スライドアーム２３を伸長させた使用状態を示す説明図である。
【図４】同従来例に係る走行機２０のスライドアーム２３を折りたたんだ状態で、この状態にすることのできる短いスライドアーム２３しか使用できないことを示す説明図である。
【考案を実施するための形態】
【０００８】
走行機のブーム先端の取付ブラケットに、スライドアームを移動自在にする移動装置を設けるものである。
【実施例】
【０００９】
本考案に係る建築・土木，農作業用の走行機１は、図１に示すように、走行機１のブーム２１の端部に軸受け部で回転自在に支持された取付ブラケット２において、スライドアーム３をそのアームのスライド方向（前後方向）に沿って、当該スライドアーム３を直線的に往復移動させる移動装置４が設けられている。
【００１０】
前記移動装置４は、第１図で示す一例では、油圧シリンダーで実施している。この移動装置４により、前記取付ブラケット２に対して、スライド方向に沿って前後に連結部３ａを引きつけて若しくは押し出して、スライドアーム３を前後に移動させるものである。
【００１１】
この移動装置４は、他の実施例として、例えば、取付ブラケット２側に駆動モータとそのモータの回転軸に設けたピニオンとを設け、このピニオンに歯合するラックをスライドアーム３の本体部３ｂに設けてなるラックアンドピニオン機構でも同様の目的を達成できるものであり、その他の出願前公知の移動手段を採用できるものである。
【００１２】
前記スライドアーム３は、図１に示すように、それ自体が本体部３ｂから子アーム３ｃをスライドさせて、伸縮させることができるものである。この伸長量は、図示するように、Ｌ１である。
【００１３】
そして、前記移動装置４により、ロッド４ａを伸長させることで前記スライドアーム３を前方に移動させると、図示するように、Ｌ２だけ延びる。これにより、スライドアーム３は、最大でＬ１＋Ｌ２の長さ分だけ腕の長さを長くすることができる。こうして、スライドアーム３の端部に取り付けられた爪５の作業範囲が、従来よりも広く拡張されるものである。
【００１４】
この作業機１を運搬車で運搬する際には、図２に示すように、スライドアーム３の子アーム３ｃを本体部３ｂに引き込む。更に、移動装置４でスライドアーム３を取付ブラケット２に対して後退させる。
【００１５】
その後、油圧シリンダー２４を伸長させて取付ブラケット２を時計方向に回転させて、爪５を内側に折りたたむ。このように、図２に示すコンパクトな状態になって、これを運搬車に積み込むものである。こうして、従来では、一定の長さ以上にスライドアームが長くなると、ブーム２１から分解して取り外さないと、走行機１を積み込むことができなかったが、本考案の走行機１では、折りたためるように移動装置４でスライドアーム３を後退させて移動させることができるので、そのまま運搬車に積み込むことが可能となるのである。
【産業上の利用可能性】
【００１６】
本考案に係る走行機１のスライドアーム３は、建築・土木，農業作業機械等に限らず、荷役運搬車や各種作業機械に適用できるものである。
【符号の説明】
【００１７】
１          走行機、
２          取付ブラケット、
３          スライドアーム、              ３ａ          連結部、
３ｂ        本体部、                      ３ｃ          子アーム、
４          移動装置、                    ４ａ          ロッド、
５          爪、
２０        従来例の走行機、
２１        ブーム、
２２        取付ブラケット、
２３        スライドアーム、
２４        油圧シリンダー、
２５        爪。
【図１】
0003150154.tif 000003
【図２】
0003150154.tif 000004
【図３】
0003150154.tif 000005
【図４】
0003150154.tif 000006